(57)【要約】【課題】  洗濯かごなどでは、それを床に置いた状態で、中の洗濯物を取り出そうとすると、大きく屈まなければならない。しかし、大きく屈めば腰などに対する負担が大きくなるとともに、すでに腰痛を持っている者にとっては心理的にも負担が大きくなる。  そこで、容器本体Ｂを床から高い位置に保持して、上記の問題を解決するようにした。【解決手段】第１，２脚体Ｘ，Ｙのそれぞれに設けた一対の脚部材７，８および１１，１２の間隔は、容器本体Ｘ，Ｙの幅よりも大きくする一方、一対の脚部材７，８および１１，１２をそれらのクロス部の回動支点を中心に折りたたんだ状態で、上記第２脚体の回動支点を起点にした止め部材１５の回動軌跡上に上記第２保持部１７を設けている。【選択図】  図５
2011019561.tif 000002
【特許請求の範囲】
【請求項１】
容器本体と、この容器本体の下部に一対の脚部材を回動自在に設けた第１脚体と、一対の脚部材を備えるとともに、この一対の脚部材を、上記第１脚体の脚部材とクロスさせ、そのクロス部分を回動自在に連結した第２脚体と、この第２脚体の脚部材上に設けた止め部材と、上記容器本体の下面であって上記第１脚体の回動支点と対向する位置に設け、上記止め部材を所定の位置に保持する第１保持部と、上記第１脚体の回動支点を設けた容器本体の側面と対向する容器本体の側面に設けるとともに、上記止め部材を保持する第２保持部とを備え、上記第１，２脚体のそれぞれに設けた一対の脚部材の間隔は、容器本体の幅よりも大きくする一方、一対の脚部材をそれらのクロス部の回動支点を中心に折りたたんだ状態で、上記第１脚体の回動支点を起点にした止め部材の回動軌跡上に上記第２保持部を設けた収納かご。
【請求項２】
上記第２脚体の脚部材の接地側の重さを相対的に重くした請求項１記載の収納かご。
【請求項３】
第１，２脚体のクロス部から第１脚体の回動支点までの長さをｘ１、このクロス部から第１脚体の先端までの長さをｘ２、上記クロス部から第２脚体の止め部材までの長さをｙ１、クロス部から第２脚体の先端までの長さをｙ２としたとき、ｘ１≦ｙ１およびｘ２≦ｙ２の関係を保った請求項１または２記載の収納かご。
【請求項４】
上記第１，２脚体の脚部材をそれらのクロス部の回動支点を中心に折りたたんだ状態で、第２脚体の止め部材を第２保持部材に保持させるまでの回動軌跡に対応する部分の容器本体の幅を他の部分よりも狭くし、上記止め部材を第２保持部に保持させた状態で、脚部材が容器本体の側面から突出しない構成にした請求項１〜３のいずれかに記載の収納かご。
【請求項５】
上記第２保持部を設けた容器本体の側面における底面からの高さを、その側面に対向する側面における底面からの高さよりも高くした請求項１〜４のいずれかに記載の収納かご。
【発明の詳細な説明】
【技術分野】
【０００１】
この発明は、洗濯機から取り出した洗濯物などを入れるのに適した収納かごに関する。
【背景技術】
【０００２】
洗濯物を収納するいわゆる洗濯かごとして、実用新案登録第３０１１４５５号公報に記載されたものが従来から知られている。この従来から知られている洗濯かごは、その容器本体に脚体を設け、この脚体を組み立てた状態で、容器本体が床面よりも高い位置に保持されるようにしている。
このように容器本体を床面よりも高い位置に保つようにしたのは、容器本体に入れた洗濯物を取り出すときに、いちいち屈まなくてもよいようにして、作業者の体への負担を最小限にし、例えば腰痛の発生などを防止するためである。
【０００３】
そして、上記従来の洗濯かごは、容器本体に設けた脚体を、容器本体の外側下面に沿って折りたたむようにしたものである。このように脚体を折りたためるようにしたので、洗濯物を取り出す作業をしていないときには、全体をコンパクトにして、洗濯かご自体の収容性をよくしている。
【０００４】
さらに、上記従来の洗濯かごは、その脚体を折りたたんだとき、その折たたみ状態の脚体を容器本体の下面に収めるようにしている。このように容器本体の下面に折たたみ状態の脚体を収めることを目的にすれば、脚体の長さも容器本体の下面の大きさに規制されることになる。
【先行技術文献】
【特許文献】
【０００５】
【特許文献１】実用新案登録第３０１１４５５号公報
【発明の概要】
【発明が解決しようとする課題】
【０００６】
上記のようにした従来の洗濯かごは、脚体を容器本体の外側下面に沿って折りたたむようにしているので、その折たたみ時には、脚体が容器本体の外側に露出した状態になり、洗濯かご全体の嵩を大きくしてしまうという問題があった。
また、上記のように折りたたんだ脚体が容器本体の外側に露出するので、脚体を折りたたんだ洗濯かごを床面などに置いてそれに洗濯物などを収納すると、洗濯物の重さが折りたたんだ脚体に直接作用する。そのために、脚体の回動支点などを損傷するといった問題があった。
【０００７】
さらに、上記したように脚体を容器本体の外側下面に沿って折りたたむようにしているので、洗濯かごに洗濯物を入れて物干し場に運んだら、一度その洗濯かごを床に下ろさなければならないが、それをおろすときに腰を屈めなければならない。しかし、洗濯物を入れたかごはかなり重いので、それを持ったまま腰を屈めるのは、腰に大きな負担がかかり、腰を痛めたり、腰痛をさらに悪化させたりする問題があった。
【０００８】
また、上記したように脚体の長さが容器本体の下面の大きさに規制されるために、脚体の長さを長くできない。脚体の長さを長くできないので、容器本体を床面から高い位置に保持しようとしても限界があった。しかし、この限界の中で、容器本体の高さを決めると、かえって中途半端な高さになり、作業者は中腰を強いられ、かえって腰を痛めたり、腰痛を悪化させたりするという問題があった。
この発明の目的は、脚体の折りたたみ時の収納性がよく、しかも容器本体を高い位置に保てる収納かごを提供することである。
【課題を解決するための手段】
【０００９】
第１の発明は、容器本体と、この容器本体の下部に一対の脚部材を回動自在に設けた第１脚体と、一対の脚部材を備えるとともに、この一対の脚部材を、上記第１脚体の脚部材とクロスさせ、そのクロス部分を回動自在に連結した第２脚体と、この第２脚体の脚部材に設けた止め部材と、上記容器本体の下面であって上記第１脚体の回動支点と対向する位置に設け、上記止め部材を所定の位置に保持する第１保持部と、上記第１脚体の回動支点を設けた容器本体の側面と対向する容器本体の側面に設けるとともに、上記止め部材を保持する第２保持部とを備えている。そして、上記第１，２脚体のそれぞれに設けた一対の脚部材の間隔は、容器本体の幅よりも大きくしている。さらに、一対の脚部材をそれらのクロス部の回動支点を中心に折りたたんだ状態で、上記第１脚体の回動支点を起点にした止め部材の回動軌跡上に上記第２保持部を設けている。
【００１０】
第２の発明は、上記第２脚体の脚部材の接地側の重さを相対的に重くしている。
第３の発明は、第１，２脚体のクロス部から第１脚体の回動支点までの長さをｘ１、このクロス部から第１脚体の先端までの長さをｘ２、上記クロス部から第２脚体の止め部材までの長さをｙ１、クロス部から第２脚体の先端までの長さをｙ２としたとき、ｘ１≦ｙ１およびｘ２≦ｙ２の関係を保っている。
【００１１】
第４の発明は、上記第１，２脚体の脚部材をそれらのクロス部の回動支点を中心に折りたたんだ状態で、第２脚体の止め部材を第２保持部材に保持させるまでの回動軌跡に対応する部分の容器本体の幅を他の部分よりも狭くし、上記止め部材を第２保持部に保持させた状態で、脚部材が容器本体の側面から突出しない構成にしている。
第５の発明は、上記第２保持部を設けた容器本体の側面における底面からの高さを、その側面に対向する側面における底面からの高さよりも高くしている。
【発明の効果】
【００１２】
第１の発明によれば、一対の脚部材の間隔を容器本体の幅よりも大きくしている。しかも、第２保持部を、第１脚体の回動支点と対向する側面に設けるとともに、第１脚体の回動支点を起点にした止め部材の回動軌跡上に設けたので、第１，２脚体を折りたたんだとき、それら第１，２脚体は容器本体の側面に位置することになる。このように折りたたんだ第１，２脚体が容器本体の側面に位置するので、その折たたみ時における収容性がよくなる。
【００１３】
第２発明によれば、第２脚体の接地側の重さを他の部分よりも相対的に重くしたので、第１，２脚体は上記重さによって、上記接地側を下にして第１脚体の回動支点から垂れ下がった状態になる。このように第１，２脚体が接地側を下にして垂れ下がるので、止め部材を第２保持部から外せば、第１，２脚体は自動的にそれらの接地側を下にする。したがって、第１，２脚体を使用状態にセットするのが簡単になる。
【００１４】
第３の発明によれば、第１，２脚体が容器本体から垂れ下がったとき、第１脚体の先端が接地面に接触するとともに、第２脚体の上端が容器本体の下面に接触し、その下端が接地面から離れた状態を維持する。したがって、第１脚体の下端を接地させた状態で、容器本体を下方に押し下げれば、第２脚体の上端が容器本体の下面に沿って移動し、第１，２脚体が自動的に開くことになる。このように第１，２脚体が自動的に開くので、作業者はいちいち第１，２脚体を開くための作業をしなくてもよくなる。そのために、例えば容器本体に洗濯物を入れた状態で、腰をかがめながらそれを床面に置かなくてもよくなるので、腰への負担を軽減させることができる。
【００１５】
第４の発明によれば、止め部材を第２保持部に保持させた状態で、脚部材が容器本体の側面から突出しないので、当該容器本体の収納性が非常によくなる。
【００１６】
第５の発明によれば、第２保持部を設けた容器本体の側面における底面からの高さを、その側面に対向する側面における底面からの高さよりも高くしているので、第２保持部を高い位置に設けることができる。このように第２保持部を高い位置に設けることによって、第１脚体の回動支点を起点にした止め部材の回動軌跡を大きく取れるとともに、その分、第１，２脚体の長さを長くすることができる。第１，２脚体の長さを長くできれば、第１，２脚体を組み立てた状態で容器本体を高い位置に保つことができる。
また、上記のように底面からの高さが低い側からは、例えば収納物である洗濯物などを取り出しやすくなる。
【図面の簡単な説明】
【００１７】
【図１】第１実施形態の脚体を折りたたんだ状態の斜視図である。
【図２】第１実施形態の脚体を組み立てる過程を示した斜視図である。
【図３】第１実施形態の脚体を組み立てる過程を示した斜視図である。
【図４】第１実施形態の脚体を組み立てる過程を示した斜視図である。
【図５】第１実施形態の脚体を組み立てた状態を示した斜視図である。
【図６】第１実施形態の第１保持部を示す拡大斜視図である。
【図７】第１実施形態の第２保持部の拡大図である。
【図８】第２実施形態の脚体を組み立てた状態の正面図である。
【図９】第２実施形態の脚体を垂れ下げた状態の側面図である。
【図１０】第２実施形態の脚体を組み立てる最終段階の過程を示した正面図である。
【図１１】第２実施形態の脚体を折りたたんだ状態の正面図である。
【発明を実施するための形態】
【００１８】
図１〜図７に示した第１実施形態の容器本体Ｂは、矩形の底面１にたがいに対向する側面２，３と４，５とを設けるとともに、側面４，５のうち一方の側面４に対して他方の側面５の、底面１からの高さを高くしている。
さらに、容器本体Ｂの底面１であって、側面４に対応する側には支持軸６を設け、この支持軸６で第１脚体Ｘを回動自在に支持している。このようにした第１脚体Ｘは、一対の脚部材７，８とこれら脚部材７，８の先端間に設けた補強部材９とを備えている。また、上記底面１であって、側面５に対応する側には凹部からなる第１保持部１０を設けている。
【００１９】
上記のようにした第１脚体Ｘには第２脚体Ｙを回動自在に取り付けているが、この第２脚体Ｙの一対の脚部材１１，１２は上記第１脚体Ｘの脚部材７，８の外側に位置するとともに、これら脚部材７，８と１１，１２とは、軸部１３を中心に回動自在に連結されている。しかも、第２脚体Ｙの脚部材１１，１２の接地側先端には引っかけ棒１４をかけ渡すとともに、この引っかけ棒１４とは反対端に丸棒状の止め部材１５をかけ渡している。
【００２０】
上記のようにした引っかけ棒１４は、第１，２脚体Ｘ，Ｙを図１に示すように折りたたんだ状態で、図６に示すように、支持軸６の外側に設けた引っかけ部１６に収まるようにしている。
また、上記止め部材１５は、第１，２脚体Ｘ，Ｙを図１に示すように折りたたんだ状態で、側面５の上側に設けた第２保持部１７に保持されるが、この第２保持部１７は、図７に示すように、その先端を、上記止め部材１５の外周とほぼ同じ曲率で湾曲させるとともに、その内面にはつめ１７ａを設けている。
そして、上記止め部材１５にも、上記つめ１７ａがはまる凹部１５ａを形成し、止め部材１５が第２保持部１７内に収まったとき、上記つめ１７ａが凹部１５ａにはまるようにしている。
【００２１】
上記のようにした第２脚体Ｙは、その接地側先端の重さを他の部分よりも重くし、それら脚体Ｘ，Ｙを組み立てる前の垂れ下がり状態、例えば図４の状態にあるとき、第２脚体Ｙが垂れ下がって、上記接地側先端が下になるようにしている。なお、上記接地側先端を相対的に重くするために、おもりを用いてもよいし、脚部材１１，１２の先端の形状を大きくしてもよい。
【００２２】
上記のようにした第１，２脚体Ｘ，Ｙは、それらを図５に示すように完全に組み立てた状態では、第２脚体Ｙの止め部材１５が凹部からなる第１保持部１０にはまり、その位置を保持するようにしている。この組み立て状態では、第１，２脚体Ｘ，Ｙの脚部材７，８および１１，１２は上記軸部１３を中心にしてたがいにクロスするが、第１脚体Ｘの脚部材７，８における軸部１３から接地側の長さｘ１に対して、第２脚体Ｙの脚部材１１，１２における軸部１３から止め部材１５までの長さｙ２はｘ１＜ｙ２となるようにしている。このように長さをｘ１＜ｙ２にしたのは、第１，２脚体Ｘ，Ｙを折りたたんだとき、第１脚体Ｘが第１脚体Ｙの内側に収まるようにするためである。
【００２３】
また、第１脚体Ｘの脚部材７，８における軸部１３から支持軸６までの長さｘ２に対して、第２脚体Ｙの脚部材１１，１２における軸部１３から引っかけ棒１４までの長さｙ１の方がわずかに長くなるようにしている。このように長さをｘ２＜ｙ１にしたのは、第１，２脚体Ｘ，Ｙを折りたたんだとき、上記引っかけ棒１４が引っかけ部１６に収まるようにするためである。
いずれにしても、第１，２脚体Ｘ，Ｙの長さを上記のように規定することによって、第１脚体Ｘの脚部材７，８と、第２脚体Ｙの脚部材１１，１２との長さが異なるようになるが、これら脚部材７，８および１１，１２の取り付け位置等によって、容器本体Ｂを水平に保つことはできるので、支障をきたすことはない。
【００２４】
さらに、この実施形態においては、上記第１，２脚体Ｘ，Ｙは、ｘ１≦ｙ１およびｘ２≦ｙ２の関係を保っている。このようにすることによって、第１，２脚体Ｘ，Ｙが容器本体Ｂから垂れ下がったとき、第１脚体の先端が接地面に接触するとともに、第２脚体Ｙの上端が容器本体Ｂの下面に接触し、その下端が接地面から離れた状態を維持する。したがって、第１脚体Ｘの下端を接地させた状態で、容器本体Ｂを下方に押し下げれば、第２脚体Ｙの上端が容器本体Ｂの下面に沿って移動し、第１，２脚体Ｘ，Ｙが自動的に開くことになる。このように第１，２脚体Ｘ，Ｙが自動的に開くので、作業者はいちいち第１，２脚体Ｘ，Ｙを開くための作業をしなくてもよくなる。そのために、例えば容器本体Ｂに洗濯物を入れた状態で、腰をかがめながらそれを床面に置かなくてもよくなるので、腰への負担を軽減させることができる。
【００２５】
上記のようにした第１，２脚体Ｘ，Ｙは、図５に示す組み立て状態にあるとき、補強部材９と引っかけ棒１４とが接地するとともに、止め部材１５が第１保持部１０にはまるようにしている。そして、上記のように止め部材１５が第１保持部１０にはまることによって、第１，２脚体Ｘ，Ｙは組み立て状態を維持する。
【００２６】
上記の状態から第１，２脚体Ｘ，Ｙを折りたたむためには、先ず、図４に示すように、上記止め部材１５を第１保持部１０から外すとともに、第２脚体Ｙを、軸部１３を中心にほぼ１８０度回動して、止め部材１５の内側に補強部材９を納めるようにする（図２，３参照）。
そして、第２脚体Ｙをさらに回動してその止め部材１５を第２保持部１７に収めるとともに、止め部材１５の凹部１５ａに第２保持部１７のつめ１７ａをはめ、その折りたたみ状態を維持する。
【００２７】
上記のように第１，２脚体Ｘ，Ｙを組み立て状態から折りたたみ状態にするためには、折りたたみ過程でたがいに重なりあった第１，２脚体Ｘ，Ｙが、上記支持軸６を中心にして止め部材１５が描く回動軌跡の半径が、容器本体Ｂの側面４，５間における底面１の長さよりも大きく、かつ、上記第２保持部１７が上記回動軌跡上になければならない。
そして、第１実施形態では、上記第１，２脚体Ｘ，Ｙの回動軌跡に対応する部分の容器本体Ｂの側面４，５間の幅を他の部分よりも狭くして狭幅部１８とし、この狭幅部１８部分に対応した位置にある第１，２脚体Ｘ，Ｙが、容器本体Ｂの側面から外側に突出しないようにしないようにしている。なお、図中符号１９は、上記狭幅部１８の境界を示す段差部である。
【００２８】
図８〜図１１に示した第２実施形態は、第１脚体Ｘの補強部材９および引っかけ棒１４を省略するとともに、脚部材７，８と１１，１２との長さを等しくしたものである。このように脚部材７，８と１１，１２との長さを等しくするとともに、軸部１３から脚部材７，８および１１，１２の接地側までの長さx１，y１は、軸部１３を挟んで反対側の長さx２，y２の長さよりも短くしている。
このように長さを規定したのは、第１，２脚体Ｘ，Ｙを折りたたんだとき、第１脚体Ｘが第２脚体Ｙの中に完全に収まるようにするためである。
そして、上記以外の構成は第１実施形態と同じなので、同一の構成要素に関しては、同一符号を付して、その詳細な説明を省略する。
【００２９】
上記のようにした第１，２実施形態の収納かごは、折りたたみ状態から止め部材１５を第２保持部１７から外すことによって、第２脚体Ｙの接地側の重さで両脚体Ｘ，Ｙは、その脚部材７，８および１１，１２の接地側を下にしながら、容器本体Ｂから自然と垂れ下がることになる。このように脚部材７，８および１１，１２の接地側を下にして、第１，２脚体Ｘ，Ｙが容器本体Ｂから垂れ下がれば、後は、第１，２脚体Ｘ，Ｙを、軸部１３を中心に開くことによって、おのずと組み立て状態にもっていける。
したがって、作業者は、例えば重い洗濯物を入れた容器本体Ｂを一方の手で持って、他方の手で第１，２脚体Ｘ，Ｙを組み立てる場合にも、その作業が簡単にできる。
【００３０】
また、これら実施形態では、一方の側面４に対して他方の側面５の底面１からの高さを高くするとともに、その高くした側面５の上縁に第２保持部１７を設けたので、側面５を高くした分、第２脚体Ｙが描く回動軌跡の半径を大きくとれる。第２脚体Ｙが描く回動軌跡の半径を大きくとれるということは、その分、第１，２脚体Ｘ，Ｙを長くできるので、容器本体Ｂを高い位置に保持できるようになる。
【００３１】
さらに、第１，２脚体Ｘ，Ｙを折りたたんだ状態では、第２脚部材Ｙの中に第１脚部材Ｘが完全に収まるとともに、第２脚体Ｙの止め部材１５を第２保持部１７に保持させたときには、外側に位置する第２脚体Ｙが狭幅部１８に沿って容器本体Ｂの側面４，５の外側に突出しないので、容器本体Ｂの収容性がよくなる。その上、容器本体Ｂの下面に、折りたたんだ第１，２脚体Ｘ，Ｙが露出しないので、容器本体Ｂを床面などに安定的に置けるとともに、第１，２脚体Ｘ，Ｙが損傷したりしない。
【産業上の利用可能性】
【００３２】
洗濯かごに用いるのに最適である。
【符号の説明】
【００３３】
Ｂ          容器本体
１          底面
２，３      側面
４，５      側面
Ｘ          第１脚体
７，８      脚部材
Ｙ          第２脚体
１０        第１保持部
１１，１２  脚部材
１５        止め部材
１７        第２保持部
【図１】
2011019561.tif 000003
【図２】
2011019561.tif 000004
【図３】
2011019561.tif 000005
【図４】
2011019561.tif 000006
【図５】
2011019561.tif 000007
【図６】
2011019561.tif 000008
【図７】
2011019561.tif 000009
【図８】
2011019561.tif 000010
【図９】
2011019561.tif 000011
【図１０】
2011019561.tif 000012
【図１１】
2011019561.tif 000013
【手続補正書】
【提出日】平成22年11月1日(2010.11.1)
【手続補正１】
【補正対象書類名】特許請求の範囲
【補正対象項目名】請求項３
【補正方法】変更
【補正の内容】
【請求項３】
第１，２脚体のクロス部から第１脚体の回動支点までの長さをｘ２、このクロス部から第１脚体の先端までの長さをｘ１、上記クロス部から第２脚体の止め部材までの長さをｙ２、クロス部から第２脚体の先端までの長さをｙ１としたとき、ｘ１≦ｙ１およびｘ２≦ｙ２の関係を保った請求項１または２記載の収納かご。
【手続補正２】
【補正対象書類名】明細書
【補正対象項目名】００１０
【補正方法】変更
【補正の内容】
【００１０】  第２の発明は、上記第２脚体の脚部材の接地側の重さを相対的に重くしている。  第３の発明は、第１，２脚体のクロス部から第１脚体の回動支点までの長さをｘ２、このクロス部から第１脚体の先端までの長さをｘ１、上記クロス部から第２脚体の止め部材までの長さをｙ２、クロス部から第２脚体の先端までの長さをｙ１としたとき、ｘ１≦ｙ１およびｘ２≦ｙ２の関係を保っている。
【手続補正４】
【補正対象書類名】図面
【補正対象項目名】図２
【補正方法】変更
【補正の内容】
【図２】
2011019561.tif 000014
【手続補正５】
【補正対象書類名】図面
【補正対象項目名】図５
【補正方法】変更
【補正の内容】
【図５】
2011019561.tif 000015
【手続補正６】
【補正対象書類名】図面
【補正対象項目名】図８
【補正方法】変更
【補正の内容】
【図８】
2011019561.tif 000016
【手続補正７】
【補正対象書類名】図面
【補正対象項目名】図９
【補正方法】変更
【補正の内容】
【図９】
2011019561.tif 000017